【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】  外部インターフェースを介してプリンタと接続され且つ情報処理の状況を画面上に表示するための表示手段を有する情報処理装置により情報処理する情報処理方法において、情報処理の各場面における印刷データの情報を含むシーン情報を保持し且つ前記シーン情報から印刷データの有無を判定する判定ステップと、前記判定ステップにより印刷データがあると判定された場合に前記シーン情報に従って印刷データを取得する印刷データ取得ステップとを具備し、前記印刷データ取得ステップにより取得された印刷データを用いて印刷を行うことを特徴とする情報処理方法。
【請求項２】  前記シーン情報は、印刷データの有無を示す情報と印刷データの保存場所を示す場所情報とを含むことを特徴とする請求項１記載の情報処理方法。
【請求項３】  前記外部インターフェースは、ＩＥＥＥ１３９４であることを特徴とする請求項１記載の情報処理方法。
【請求項４】  前記情報処理の内容は、ゲームであることを特徴とする請求項１記載の情報処理方法。
【請求項５】  前記情報処理装置は、ゲーム装置であることを特徴とする請求項１〜４のいずれか１項に記載の情報処理方法。
【請求項６】  前記情報処理装置は、ビデオゲーム装置であることを特徴とする請求項１〜４のいずれか１項に記載の情報処理方法。
【請求項７】  外部インターフェースを介してプリンタと接続され且つ情報処理の状況を画面上に表示するための表示手段を有する情報処理装置において、情報処理の各場面における印刷データの情報を含むシーン情報を保持し且つ前記シーン情報から印刷データの有無を判定する判定手段と、前記判定手段により印刷データがあると判定された場合に前記シーン情報に従って印刷データを取得する印刷データ取得手段とを具備し、前記印刷データ取得手段により取得された印刷データを用いて印刷を行うことを特徴とする情報処理装置。
【請求項８】  前記シーン情報は、印刷データの有無を示す情報と印刷データの保存場所を示す場所情報とを含むことを特徴とする請求項７記載の情報処理装置。
【請求項９】  前記外部インターフェースは、ＩＥＥＥ１３９４であることを特徴とする請求項７記載の情報処理装置。
【請求項１０】  前記情報処理の内容は、ゲームであることを特徴とする請求項７記載の情報処理装置。
【請求項１１】  前記情報処理装置は、ゲーム装置であることを特徴とする請求項７〜１０のいずれか１項に記載の情報処理装置。
【請求項１２】  前記情報処理装置は、ビデオゲーム装置であることを特徴とする請求項７〜１０のいずれか１項に記載の情報処理装置。
【請求項１３】  外部インターフェースを介してプリンタと接続され且つ情報処理の状況を画面上に表示するための表示手段を有する情報処理装置を制御するための制御プログラムを格納した記憶媒体であって、前記制御プログラムは、情報処理の各場面における印刷データの情報を含むシーン情報を保持し且つ前記シーン情報から印刷データの有無を判定する判定モジュールと、前記判定モジュールにより印刷データがあると判定された場合に前記シーン情報に従って印刷データを取得する印刷データ取得モジュールとを具備し、前記印刷データ取得モジュールにより取得された印刷データを用いて印刷を行うことを特徴とする記憶媒体。
【請求項１４】  前記シーン情報は、印刷データの有無を示す情報と印刷データの保存場所を示す場所情報とを含むことを特徴とする請求項１３記載の記憶媒体。
【請求項１５】  前記外部インターフェースは、ＩＥＥＥ１３９４であることを特徴とする請求項１３記載の記憶媒体。
【請求項１６】  前記情報処理の内容は、ゲームであることを特徴とする請求項１３記載の記憶媒体。
【請求項１７】  前記情報処理装置は、ゲーム装置であることを特徴とする請求項１３〜１６のいずれか１項に記載の記憶媒体。
【請求項１８】  前記情報処理装置は、ビデオゲーム装置であることを特徴とする請求項１３〜１６のいずれか１項に記載の記憶媒体。
【請求項１９】  前記記憶媒体は、フロッピーディスク、ハードディスク、光ディスク、光磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）、磁気テープ、不揮発性メモリカード、及びＲＯＭ（Ｒｅａｄ  Ｏｎｌｙ  Ｍｅｍｏｒｙ）チップのいずれか１つであることを特徴とする請求項１３〜１８のいずれか１項に記載の記憶媒体。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、上記第１の目的を達成するために請求項５記載の情報処理方法は、請求項１〜４のいずれか１項に記載の情報処理方法において、前記情報処理装置は、ゲーム装置であることを特徴とする。
【手続補正５】
【補正対象書類名】明細書
【補正対象項目名】００１３
【補正方法】変更
【補正の内容】
【００１３】
また、上記第１の目的を達成するために請求項６記載の情報処理方法は、請求項１〜４のいずれか１項に記載の情報処理方法において、前記情報処理装置は、ビデオゲーム装置であることを特徴とする。
【手続補正６】
【補正対象書類名】明細書
【補正対象項目名】００１４
【補正方法】変更
【補正の内容】
【００１４】
また、上記第１の目的を達成するために請求項７記載の情報処理装置は、外部インターフェースを介してプリンタと接続され且つ情報処理の状況を画面上に表示するための表示手段を有する情報処理装置において、情報処理の各場面における印刷データの情報を含むシーン情報を保持し且つ前記シーン情報から印刷データの有無を判定する判定手段と、前記判定手段により印刷データがあると判定された場合に前記シーン情報に従って印刷データを取得する印刷データ取得手段とを具備し、前記印刷データ取得手段により取得された印刷データを用いて印刷を行うことを特徴とする。
【手続補正７】
【補正対象書類名】明細書
【補正対象項目名】００１５
【補正方法】変更
【補正の内容】
【００１５】
また、上記第１の目的を達成するために請求項８記載の情報処理装置は、請求項７記載の情報処理装置において、前記シーン情報は、印刷データの有無を示す情報と印刷データの保存場所を示す場所情報とを含むことを特徴とする。
【手続補正８】
【補正対象書類名】明細書
【補正対象項目名】００１６
【補正方法】変更
【補正の内容】
【００１６】
また、上記第１の目的を達成するために請求項９記載の情報処理装置は、請求項７記載の情報処理装置において、前記外部インターフェースは、ＩＥＥＥ１３９４であることを特徴とする。
【手続補正９】
【補正対象書類名】明細書
【補正対象項目名】００１７
【補正方法】変更
【補正の内容】
【００１７】
また、上記第１の目的を達成するために請求項１０記載の情報処理装置は、請求項７記載の情報処理装置において、前記情報処理の内容は、ゲームであることを特徴とする。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
また、上記第１の目的を達成するために請求項１１記載の情報処理装置は、請求項７〜１０のいずれか１項に記載の情報処理装置において、前記情報処理装置は、ゲーム装置であることを特徴とする。
【手続補正１３】
【補正対象書類名】明細書
【補正対象項目名】００２１
【補正方法】変更
【補正の内容】
【００２１】
また、上記第１の目的を達成するために請求項１２記載の情報処理装置は、請求項７〜１０のいずれか１項に記載の情報処理装置において、前記情報処理装置は、ビデオゲーム装置であることを特徴とする。  
【手続補正１４】
【補正対象書類名】明細書
【補正対象項目名】００２２
【補正方法】変更
【補正の内容】
【００２２】
また、上記第２の目的を達成するために請求項１３記載の記憶媒体は、外部インターフェースを介してプリンタと接続され且つ情報処理の状況を画面上に表示するための表示手段を有する情報処理装置を制御するための制御プログラムを格納した記憶媒体であって、前記制御プログラムは、情報処理の各場面における印刷データの情報を含むシーン情報を保持し且つ前記シーン情報から印刷データの有無を判定する判定モジュールと、前記判定モジュールにより印刷データがあると判定された場合に前記シーン情報に従って印刷データを取得する印刷データ取得モジュールとを具備し、前記印刷データ取得モジュールにより取得された印刷データを用いて印刷を行うことを特徴とする。
【手続補正１５】
【補正対象書類名】明細書
【補正対象項目名】００２３
【補正方法】変更
【補正の内容】
【００２３】
また、上記第２の目的を達成するために請求項１４記載の記憶媒体は、請求項１３記載の記憶媒体において、前記シーン情報は、印刷データの有無を示す情報と印刷データの保存場所を示す場所情報とを含むことを特徴とする。
【手続補正１６】
【補正対象書類名】明細書
【補正対象項目名】００２４
【補正方法】変更
【補正の内容】
【００２４】
また、上記第２の目的を達成するために請求項１５記載の記憶媒体は、請求項１３記載の記憶媒体において、前記外部インターフェースは、ＩＥＥＥ１３９４であることを特徴とする。
【手続補正１７】
【補正対象書類名】明細書
【補正対象項目名】００２５
【補正方法】変更
【補正の内容】
【００２５】
また、上記第２の目的を達成するために請求項１６記載の記憶媒体は、請求項１３記載の記憶媒体において、前記情報処理の内容は、ゲームであることを特徴とする。
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】変更
【補正の内容】
【００２８】
また、上記第２の目的を達成するために請求項１７記載の記憶媒体は、請求項１３〜１６のいずれか１項に記載の記憶媒体において、前記情報処理装置は、ゲーム装置であることを特徴とする。
【手続補正２１】
【補正対象書類名】明細書
【補正対象項目名】００２９
【補正方法】変更
【補正の内容】
【００２９】
また、上記第２の目的を達成するために請求項１８記載の記憶媒体は、請求項１３〜１６のいずれか１項に記載の記憶媒体において、前記情報処理装置は、ビデオゲーム装置であることを特徴とする。
【手続補正２２】
【補正対象書類名】明細書
【補正対象項目名】００３０
【補正方法】変更
【補正の内容】
【００３０】
また、上記第２の目的を達成するために請求項１９記載の記憶媒体は、請求項１３〜１８のいずれか１項に記載の記憶媒体において、前記記憶媒体は、フロッピー(登録商標)ディスク、ハードディスク、光ディスク、光磁気ディスク、ＣＤ−ＲＯＭ（Ｃｏｍｐａｃｔ  Ｄｉｓｋ  Ｒｅａｄ  Ｏｎｌｙ  Ｍｅｍｏｒｙ）、ＣＤ−Ｒ（Ｃｏｍｐａｃｔ  Ｄｉｓｋ  Ｒｅｃｏｒｄａｂｌｅ）、磁気テープ、不揮発性メモリカード、及びＲＯＭ（Ｒｅａｄ  Ｏｎｌｙ  Ｍｅｍｏｒｙ）チップのいずれか１つであることを特徴とする。
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】